(57)【要約】
【課題】一つのセットだけで、ベランダの手摺り支柱、壁面、屋根馬に適用できるマスト取付金具セットを得る。
【解決手段】マスト取付金具セット１は、脚部２Ａの先端部分が拡開したほぼＵ字状の断面を有する支持本体２であり、Ｕ字底面２Ｂの中心で互いに直交する稜線を有するＶ字状窪み６を設け、また脚部２Ａの先端には支持本体２の中心軸線に対して直交して外方に突出するフランジ７を設けた支持本体２と、支持本体２における両側脚部のフランジ間にわたるスパン及び脚部２Ａの幅とほぼ同一幅を有してフランジ７に対向配置させる手摺り支柱挟持プレート３と、Ｕ字底面２Ｂに対向配置させるマスト挟持プレート４と、Ｕ字底面２Ｂに当接する底部プレート５Ａ及びこの底部プレートの中央に同心状に突設したマスト支持チューブ５Ｂよりなる屋根馬取付用アタッチメント５とを具える。
【選択図】図１
0003099425.tif 000002
【実用新案登録請求の範囲】
【請求項１】
　マスト取付金具セットにおいて、
　脚部の先端部分が拡開したほぼＵ字状の断面を有する支持本体であり、Ｕ字底面の中心で互いに直交する稜線を有するＶ字状窪みを設け、また前記脚部の先端には前記支持本体の中心軸線に対して直交して外方に突出するフランジを設けた支持本体と、
　前記支持本体における両側脚部のフランジ間にわたるスパン及び前記脚部の幅とほぼ同一幅を有してフランジに対向配置させる手摺り支柱挟持プレートと、
　前記Ｕ字底面に対向配置させるマスト挟持プレートと、
　前記Ｕ字底面に当接する底部プレート及びこの底部プレートの中央に同心状に突設したマスト支持チューブよりなる屋根馬取付用アタッチメントと
を具え、前記支持本体のＵ字底面及びフランジ、並びにこれらＵ字底面及びフランジに対向配置又は当接するプレートには互いに整列するボルト又はくぎ用の貫通孔を設けたことを特徴とするマスト取付金具セット。
【請求項２】
　前記支持本体の脚部に互いに離れた少なくとも２個の開口を設けた請求項１記載のマスト取付金具セット。
【請求項３】
　前記Ｕ字底面に設けた各Ｖ字状窪みの一方端縁部分を除いて、前記支持本体の端縁からほぼ直角に曲げ出した補強リブを設けた請求項１又は２記載のマスト取付金具セット。
【請求項４】
　前記マスト挟持プレートは、互いに対向する１対の両側端縁から前記Ｕ字底面に向かって曲げ出したフランジを設け、このフランジにはマスト外面に掛合する切欠きを設け、切欠きの端縁を鋸歯状に形成した請求項１乃至３のうちのいずれか一項に記載のマスト取付金具セット。
【請求項５】
　前記支持本体、手摺り支柱挟持プレート、マスト挟持プレート、屋根馬取付用アタッチメントの各部材のすべてをプレス成形により形成した請求項１乃至４のうちのいずれか一項に記載のマスト取付金具セット。
【請求項６】
　前記支持本体、手摺り支柱挟持プレート、マスト挟持プレート、屋根馬取付用アタッチメントの各部材のすべてを、溶融亜鉛によるどぶ漬けメッキした請求項１乃至５のうちのいずれか一項に記載のマスト取付金具セット。
【考案の詳細な説明】
【技術分野】
【０００１】
　本考案はマスト取付金具セット、特に、受信アンテナマストの取付金具セットに関するものである。
【背景技術】
【０００２】
　従来のＴＶ放送用アンテナのマスト取付金具セットは、ベランダのフェンスならばフェンス縁取付金具、手摺りならば手摺り用のセットというように、種々の取付箇所に適合する専用の取付金具セットがあり、工事者はこれら異なる専用取付金具セットを複数個用意して取付宅に訪問する必要があった。（例えば、特許文献１及び特許文献２参照。）
【特許文献１】実開平１‐１６７０７号公報
【特許文献２】実開平１‐２５２０８号公報
【考案の開示】
【考案が解決しようとする課題】
【０００３】
　しかし、アンテナマストの取付箇所は千差万別であって、フェンス縁や手摺りだけではなく、例えば、壁面や屋根馬に取り付ける場合もある。従来のマスト取付金具セットでは一つの取付金具セットですべてに適用できるものは存在しなかった。
【０００４】
　従って、本考案は、一つのセットだけで、ベランダの手摺り支柱、壁面、屋根馬に適用できるマスト取付金具セットを得るにある。
【課題を解決するための手段】
【０００５】
　この目的を達成するため、本考案マスト取付金具セットは、
　脚部の先端部分が拡開したほぼＵ字状の断面を有する支持本体であり、Ｕ字底面の中心で互いに直交する稜線を有するＶ字状窪みを設け、また前記脚部の先端には前記支持本体の中心軸線に対して直交して外方に突出するフランジを設けた支持本体と、
　前記支持本体における両側脚部のフランジ間にわたるスパン及び前記脚部の幅とほぼ同一幅を有してフランジに対向配置させる手摺り支柱挟持プレートと、
　前記Ｕ字底面に対向配置させるマスト挟持プレートと、
　前記Ｕ字底面に当接する底部プレート及びこの底部プレートの中央に同心状に突設したマスト支持チューブよりなる屋根馬取付用アタッチメントと
を具え、前記支持本体のＵ字底面及びフランジ、並びにこれらＵ字底面及びフランジに対向配置又は当接するプレートには互いに整列するボルト又はくぎ用の貫通孔を設けたことを特徴とする。
【考案の効果】
【０００６】
　本考案によれば、支持本体は、壁面には任意の箇所にフランジを当接して直接くぎで固定することができ、ベランダの手摺りには手摺りの柱を手摺り支柱挟持プレートとの間に挟み込んでボルト‐ナットで固定することができ、屋根馬には支持本体のＵ字を跨がせ、Ｕ字底面に固定した屋根馬取付用アタッチメントの支持チューブに取り付けたマストを含む被固定物を支線で展張することによって固定することができる。
【考案を実施するための最良の形態】
【０００７】
　本考案の好適な実施の形態においては、支持本体、手摺り支柱挟持プレート、マスト挟持プレート、屋根馬取付用アタッチメントの各部材のすべてをプレス成形により形成し、また溶融亜鉛によるどぶ漬けメッキする。更に、支持本体は軽量化のため、その脚部に互いに離れた少なくとも２個の開口を設ける。また、Ｕ字底面に設けた各Ｖ字状窪みの一方端縁部分を除いて支持本体のほぼすべての端縁にはほぼ直角に曲げ出した補強リブを設ける。
【０００８】
　次に、図面につき本考案の好適な実施例を説明する。
【実施例１】
【０００９】
　図１は、本考案によるマスト取付金具セットの好適な実施例を示す。本考案マスト取付金具セット１は、図１の（ａ）及び（ｂ）に示すように、脚部２Ａの先端部分が拡開したほぼＵ字状断面を有する支持本体２と、手摺り支柱挟持プレート３（図２参照）と、マスト挟持プレート４と、更に、図１の（ｃ）及び（ｄ）に示す屋根馬取付用アタッチメント５とにより構成する。
【００１０】
　支持本体２には、Ｕ字底面２Ｂの中心で互いに直交する稜線を有するＶ字状窪み６を設け、また脚部２Ａの先端には支持本体の中心軸線Ｃに対して直交して外方に突出するフランジ７を設ける。また、支持本体２の脚部２Ａには、互いに離れた少なくとも２個の開口８を設ける。更に、Ｕ字底面２Ｂに設けた各Ｖ字状窪み６の一方端縁部分を除いて、支持本体２の端縁からほぼ直角に曲げ出した補強リブ９を設ける。各Ｖ字状窪み６の一方端縁部分には、窪み開口を塞ぐように突出するストッパリブ１０を設ける。図３に、Ｖ字状窪み６を設けたＵ字底面２Ｂの平面図を示す。
【００１１】
　手摺り支柱挟持プレート３は、支持本体における両側脚部のフランジ７間にわたるスパン及び脚部２Ａの幅とほぼ同一幅を有してフランジに対向配置させ、プレートの補強のためプレート面からほぼ直角に曲げたリブ７Ａを設ける。更に、図２に示すように示すように、ボルト又はくぎ用の貫通孔を設ける。これらと同様の貫通孔を支持本体脚部のフランジにも設ける（図示せず）。
【００１２】
　Ｕ字底面２Ｂに対向配置させるマスト挟持プレート４は、互いに対向する１対の両側端縁から支持本体２のＵ字底面２Ｂに向かって曲げ出したフランジ４Ａを設け、このフランジ４Ａにはマスト１１（輪郭を一点鎖線で示す）の外面に掛合する切欠き１２を設け、切欠き１２の端縁を鋸歯状に形成する。マスト１１は、支持本体２のＶ字状窪み６とマスト挟持プレート４の切欠き１２とに収容され、ボルト‐ナット１３によって固定される。
【００１３】
　屋根馬取付用アタッチメント５は、Ｕ字底面に当接する底部プレート５Ａと、この底部プレート５Ａの中央に同心状に突設したマスト支持チューブ５Ｂとにより構成する。このマスト支持チューブ５Ｂの底部プレート５Ａとの固定側の端縁に、互いに等間隔（例えば、１２０゜間隔で）離れ、軸線方向にチューブの輪郭のまま延在する突歯（図示せず）を生ずる例えば、３個の切欠きを形成し、底部プレート５Ａに形成した対応の円弧形状の溝孔に挿通し、各突歯を底部プレート５Ａの裏側で半径方向外方に折り曲げカシメにより両者を連結する。更に、底部プレート５Ａには、図示のように、ボルト用の貫通孔を形成する。マスト支持チューブ５Ｂには、チューブ内部に挿入するマスト（図示せず）を固定する止めねじ１４を設ける。
【００１４】
　これら支持本体２、手摺り支柱挟持プレート３、マスト挟持プレート４、屋根馬取付用アタッチメント５の各部材のすべては、プレス成形により形成しかつ溶融亜鉛によるどぶ漬けメッキすると耐腐食性及び強度が向上する。
【００１５】
　図４には壁面に取り付ける適用例を示し、この場合、支持本体２のフランジ７を固定箇所の壁面１５に直接当接してくぎ（簡略化して示す）１６によって固定する。
【００１６】
　図５には手摺りの支柱に取り付ける適用例を示し、この場合、支持本体２のフランジ７と、手摺り支柱挟持プレート３との間に手摺り支柱１７（仮想線で示す）を挟み込み、ボルト‐ナット１３によって固定する。
【００１７】
　図６には屋根馬に取り付ける適用例を示し、支持本体２に屋根馬取付用アタッチメント５の底部プレート５Ａをボルト‐ナット１３で固定し、マスト支持チューブ５Ｂにアンテナマスト１１を差し込んで止めねじ１４によりクランプし、支持本体２を屋根馬１８（仮想線で示す）に跨がらせ、被固定物例えば、アンテナ（図示せず）及びマスト１１の直立状態を保持するよう支線１９を展張することにより固定する。また適宜、当て板（図示せず）を介してくぎ１６を打ち込んで固定する。
【産業上の利用可能性】
【００１８】
　本考案は、今後もサービスが継続されるＢＳ／ＣＳ衛星放送用のパラボラアンテナの取付のためだけでなく、今後地上波アナログ放送用からサービスが切り替わる地上波デジタル放送用のパラボラアンテナ取付のために使用でき、この移行時の需要に対応することができる。またアンテナだけでなく、種々のマスト例えば、旗又は看板等のマスト保持用にも使用できる。
【図面の簡単な説明】
【００１９】
【図１】本考案によるマスト取付金具の説明図であり、（ａ）は正面図、（ｂ）は側面図、（ｃ）はマスト取付金具の付属品としての屋根馬取付用アタッチメントの側面図、（ｄ）は屋根馬取付用アタッチメントの平面図である。
【図２】手摺り支柱挟持プレートの底面図である。
【図３】支持本体のＶ字状窪み６を設けたＵ字底面の平面図である。
【図４】本考案によるマスト取付金具を壁面に取り付ける適用例を示す説明図である。
【図５】本考案によるマスト取付金具を手摺りの支柱に取り付ける適用例を示す説明図である。
【図６】本考案によるマスト取付金具を屋根馬に取り付ける適用例の説明図である。
【符号の説明】
【００２０】
　１　マスト取付金具セット
　２　支持本体
２Ａ　脚部
２Ｂ　Ｕ字底面
　３　手摺り支柱挟持プレート
　４　マスト挟持プレート
４Ａ　フランジ
　５　屋根馬取付用アタッチメント
５Ａ　底部プレート
５Ｂ　マスト支持チューブ
　６　各Ｖ字状窪み
　７　フランジ
７Ａ　リブ
　８　開口
　９　補強リブ
１０　ストッパリブ
１１　マスト
１２　切欠き
１３　ボルト‐ナット
１４　止めねじ
１５　壁面
１６　くぎ
１７　手摺り支柱
１８　屋根馬
１９　支線
【図１】
0003099425.tif 000003
【図２】
0003099425.tif 000004
【図３】
0003099425.tif 000005
【図４】
0003099425.tif 000006
【図５】
0003099425.tif 000007
【図６】
0003099425.tif 000008